(57)【特許請求の範囲】
【請求項１】
主幹ブレーカや複数の分岐ブレーカ等を収納した分電盤内に、前記分岐ブレーカと略同一形状のケースによって前記分岐ブレーカ取付部に設置され、前記主幹ブレーカ等が動作して停電した際に前記ケース内に内蔵した電池を電源にしてランプを点灯させて周囲を照らし、前記主幹ブレーカ等の復帰操作を行いやすくするための停電用保安灯において、前記分電盤の前面カバーに形成した分岐ブレーカ用の操作窓に臨む前記ケースの上面に開口を形成して前記電池の収納部を設け、該開口に蓋体を開閉自在に設け、前記停電用保安灯を前記分電盤に設置した状態で前記前面カバーの操作窓から前記蓋体を開閉して前記電池を交換可能にしたことを特徴とする停電用保安灯。
【請求項２】
前記蓋体は前記ケースに着脱可能に設けられ、裏面に電池ホルダーを固定したことを特徴とする請求項１に記載の停電用保安灯。
【請求項３】
前記電池ホルダーは前記蓋体の裏面に固着された矩形状の基板に電子回路と共に実装したことを特徴とする請求項２に記載の停電用保安灯。
【請求項４】
前記ケースの収納部内に前記基板が挿抜可能なコネクタを設け、該コネクタは前記主幹ブレーカの２次側に接続された導電バーが接続されるために前記ケースの側面に設けられた端子部と電気的に接続され、前記基板を前記コネクタに差し込んで前記電子回路を電路に接続すると共に、前記蓋体を前記ケースに取り付けることを特徴とする請求項３に記載の停電用保安灯。
【請求項５】
前記ケースの収納部内に前記蓋体の基板を前記コネクタに案内するための案内溝を設けたことを特徴とする請求項４に記載の停電用保安灯。
【発明の詳細な説明】
【０００１】
【発明の属する技術分野】
本発明は、主幹ブレーカやリミッタが動作して停電した際に分電盤の周囲を照らして主幹ブレーカやリミッタの復帰操作を行いやすくするための停電用保安灯に関する。
【０００２】
【従来の技術】
図６及び図７に示すように、停電用保安灯３１を収納する分電盤３４は、主幹ブレーカ３２と、複数の分岐ブレーカ３３と、更に電力会社によってはリミッタ（図示せず）等を収納している。停電用保安灯３１のケース３５は分岐ブレーカ３３のケース３６と略同一形状に形成され、分岐ブレーカ３３と同様に分岐ブレーカ取付部３７に取り付けられ、主幹ブレーカ３２の２次側に導電バー（図示せず）を介して接続されている。分電盤３４の前面カバー３８は主幹ブレーカ３２や分岐ブレーカ３３の操作ハンドル３９，４０を露出させて操作できるように複数の操作窓４１，４２が形成され、この分岐ブレーカ用の操作窓４２に臨む停電用保安灯３１のケース３５の上面にランプ４７が設けられ、主幹ブレーカ３２やリミッタが動作して停電した際にランプ４７が点灯して周囲を照らすようになっている。ランプ４７の電源はケース３５内に内蔵された円筒型リチウム電池４４が使用されている。
【０００３】
【発明が解決しようとする課題】
この電池を使い切ってしまった場合は分電盤３４の前面カバー３８を取り外し、更に停電用保安灯３１を取り外し、ケース３５の左右両側から締め付けられたネジ５９を取り外し、ケース３５を開けて交換しなければならなかった。しかしながら、分電盤３４の前面カバー３８は封印されている場合もあるし、前面カバー３８を取り外しても内部機器が露出して危険であるので、電池４４の交換は容易にできなかった。
【０００４】
そこで上記問題点に鑑み、本発明の目的は、分電盤の前面カバーを取り外すことなく容易に電池交換をすることができる停電用保安灯を提供することである。
【０００５】
【課題を解決するための手段】
上記目的を達成するために、請求項１に記載の発明によれば、主幹ブレーカや複数の分岐ブレーカ等を収納した分電盤内に、分岐ブレーカと略同一形状のケースによって分岐ブレーカ取付部に設置され、主幹ブレーカ等が動作して停電した際にケース内に内蔵した電池を電源にしてランプを点灯させて周囲を照らし、主幹ブレーカ等の復帰操作を行いやすくするための停電用保安灯において、分電盤の前面カバーに形成した分岐ブレーカ用の操作窓に臨むケースの上面に開口を形成して電池の収納部を設け、開口に蓋体を開閉自在に設け、停電用保安灯を分電盤に設置した状態で前面カバーの操作窓から蓋体を開閉して電池を交換可能にしたことを特徴とする。
【０００６】
請求項２に記載の発明によれば、請求項１に記載の停電用保安灯において、蓋体はケースに着脱可能に設けられ、裏面に電池ホルダーを固定したことを特徴とする。
【０００７】
請求項３に記載の発明によれば、請求項２に記載の停電用保安灯において、電池ホルダーは前記蓋体の裏面に固着された矩形状の基板に電子回路と共に実装したことを特徴とする。
【０００８】
請求項４に記載の発明によれば、請求項３に記載の停電用保安灯において、ケースの収納部内に基板が挿抜可能なコネクタを設け、コネクタは主幹ブレーカの２次側に接続された導電バーが接続されるためにケースの側面に設けられた端子部と電気的に接続され、基板をコネクタに差し込んで電子回路を電路に接続すると共に、蓋体をケースに取り付けることを特徴とする。
【０００９】
請求項５に記載の発明によれば、請求項４に記載の停電用保安灯において、ケースの収納部内に蓋体の基板をコネクタに案内するための案内溝を設けたことを特徴とする。
【００１０】
【発明の実施の形態】
請求項１に記載の発明によれば、主幹ブレーカや複数の分岐ブレーカ等を収納した分電盤内に、分岐ブレーカと略同一形状のケースによって分岐ブレーカ取付部に設置され、主幹ブレーカ等が動作して停電した際にケース内に内蔵した電池を電源にしてランプを点灯させて周囲を照らし、主幹ブレーカ等の復帰操作を行いやすくするための停電用保安灯において、分電盤の前面カバーに形成した分岐ブレーカ用の操作窓に臨むケースの上面に開口を形成して電池の収納部を設け、開口に蓋体を開閉自在に設け、停電用保安灯を分電盤に設置した状態で前面カバーの操作窓から蓋体を開閉して電池を交換可能にしたことにより、分電盤の前面カバーを取り外すことなく容易に電池交換をすることができる。
【００１１】
請求項２に記載の発明によれば、請求項１に記載の停電用保安灯において、蓋体はケースに着脱可能に設けられ、裏面に電池ホルダーを固定したことにより、電池交換がしやすい。
【００１２】
請求項３に記載の発明によれば、請求項２に記載の停電用保安灯において、電池ホルダーは前記蓋体の裏面に固着された矩形状の基板に電子回路と共に実装したことにより、ケースを小型化することができる。
【００１３】
請求項４に記載の発明によれば、請求項３に記載の停電用保安灯において、ケースの収納部内に基板が挿抜可能なコネクタを設け、コネクタは主幹ブレーカの２次側に接続された導電バーが接続されるためにケースの側面に設けられた端子部と電気的に接続され、基板をコネクタに差し込んで電子回路を電路に接続すると共に、蓋体をケースに取り付けることにより、ケースを小型化することができる。
【００１４】
請求項５に記載の発明によれば、請求項４に記載の停電用保安灯において、ケースの収納部内に蓋体の基板をコネクタに案内するための案内溝を設けたことにより、基板をコネクタに容易に接続できる。
【００１５】
【実施例】
本発明に係る停電用保安灯の実施例を図１〜図５の添付図面に基づいて説明する。
【００１６】
停電用保安灯１は、主幹ブレーカ２と、複数の分岐ブレーカ３と、更に電力会社によってはリミッタ（図示せず）等を収納した分電盤４に設けられる。停電用保安灯１のケース５は分岐ブレーカ３のケース６と略同一形状に形成され、分岐ブレーカ３と同様に分岐ブレーカ取付部７に取り付けられ、主幹ブレーカ２の２次側に導電バー（図示せず）を介して接続されようになっている。
【００１７】
分電盤４の前面カバー８は主幹ブレーカ２や分岐ブレーカ３の操作ハンドル９，１０を露出させて操作できるように複数の操作窓１１，１２が形成され、この分岐ブレーカ用の操作窓１２に臨む停電用保安灯１のケース５の上面に開口１３が設けられ、開口内に電池１４の収納部１５が設けられている。開口１３には蓋体１６が開閉自在に設けられる。
【００１８】
蓋体１６は表面にランプ１７とツマミ１８とテストボタン１９が設けられ、裏面に矩形状の基板２０が固着され、基板２０上にコイン型リチウム電池１４が装着された電池ホルダー２１が電子回路と共に実装されている。基板２０の先端部の両側には電子回路の端子２２が設けられている。
【００１９】
ケース５の収納部１５内には蓋体１６の基板２０が挿抜可能なコネクタ２３が設けられている。コネクタ２３は板バネ２４と収納部１５内に突出形成したリブ２５とで形成され、収納部１５の内壁には基板２０をコネクタ２３に案内するための案内溝２６が形成されている。基板２０を案内溝２６に嵌めて挿入し、板バネ２４とリブ２５間に基板２０が圧入されると、基板２０が固定されて蓋体１６をケース５に取り付けると共に、基板２０の端子２２がコネクタ２３に接続される。コネクタ２３は主幹ブレーカ２の２次側に接続した導電バーが接続されたケース側面の電源端子２７と接続線２８を介して電気的に接続されているため、基板２０をコネクタ２３に差し込むことで電子回路が電路に接続される。
【００２０】
停電用保安灯１は、電路が通電しているかどうかを監視し、主幹ブレーカ２やリミッタが動作して停電した際に電池１４を電源にしてランプ１７を点灯させて周囲を照らすようになっている。よって夜間に停電が発生した場合でも主幹ブレーカ２やリミッタの復帰操作が行いやすい。
【００２１】
電池１４の残り残量を調べるにはケース５の蓋体１６表面に設けられたテストボタン１９を押すことによりわかる。電池１４が残っている場合はランプ１７が点灯し、電池１４が残っていない場合はランプ１７が点灯しない。
【００２２】
電池１４の交換は分電盤４の前面カバー８が取り付けられた状態で前面カバー８の操作窓１２から停電用保安灯１の蓋体１６のツマミ１８を手前に引いて、蓋体１６を取り外して行う。電池１４を交換したら前述の方法により蓋体１６を取り付ける。
【００２３】
【発明の効果】
以上説明したように、請求項１に記載の発明によれば、主幹ブレーカや複数の分岐ブレーカ等を収納した分電盤内に、分岐ブレーカと略同一形状のケースによって分岐ブレーカ取付部に設置され、主幹ブレーカ等が動作して停電した際にケース内に内蔵した電池を電源にしてランプを点灯させて周囲を照らし、主幹ブレーカ等の復帰操作を行いやすくするための停電用保安灯において、分電盤の前面カバーに形成した分岐ブレーカ用の操作窓に臨むケースの上面に開口を形成して電池の収納部を設け、開口に蓋体を開閉自在に設け、停電用保安灯を分電盤に設置した状態で前面カバーの操作窓から蓋体を開閉して電池を交換可能にしたことにより、分電盤の前面カバーを取り外すことなく容易に電池交換をすることができるという効果がある。
【００２４】
請求項２に記載の発明によれば、請求項１に記載の停電用保安灯において、蓋体はケースに着脱可能に設けられ、裏面に電池ホルダーを固定したことにより、電池交換がしやすいという効果がある。
【００２５】
請求項３に記載の発明によれば、請求項２に記載の停電用保安灯において、電池ホルダーは前記蓋体の裏面に固着された矩形状の基板に電子回路と共に実装したことにより、ケースを小型化することができるという効果がある。
【００２６】
請求項４に記載の発明によれば、請求項３に記載の停電用保安灯において、ケースの収納部内に基板が挿抜可能なコネクタを設け、コネクタは主幹ブレーカの２次側に接続された導電バーが接続されるためにケースの側面に設けられた端子部と電気的に接続され、基板をコネクタに差し込んで電子回路を電路に接続すると共に、蓋体をケースに取り付けることにより、ケースを小型化することができるという効果がある。
【００２７】
請求項５に記載の発明によれば、請求項４に記載の停電用保安灯において、ケースの収納部内に蓋体の基板をコネクタに案内するための案内溝を設けたことにより、基板をコネクタに容易に接続できるという効果がある。
【図面の簡単な説明】
【図１】本発明に係る停電用保安灯を組み込んだ分電盤であり、前面カバーを取り外した状態の正面図である。
【図２】本発明に係る停電用保安灯の組み込んだ分電盤の斜視図であり、（ａ）は電池交換のために停電用保安灯の蓋体を取り外した状態を示し、（ｂ）は蓋体を取り付けた状態を示す。
【図３】本発明に係る停電用保安灯の電池を交換する様子を示す斜視図である。
【図４】本発明に係る停電用保安灯の蓋体と収納部を示す斜視図である。
【図５】図４のＡ−Ａ線矢視断面図であり、（ａ）は基板をコネクタに接続する前を示し、（ｂ）は基板をコネクタに接続した状態を示す。
【図６】従来の停電用保安灯を組み込んだ分電盤の正面図でり、（ａ）は前面カバーが取り付いた状態を示し、（ｂ）は前面カバーが取り外した状態を示す。
【図７】従来の停電用保安灯を示し、（ａ）は平面図、（ｂ）は正面図、（ｃ）は右側面図である。
【符号の説明】
１    停電用保安灯
４    分電盤
５    ケース
８    前面カバー
１２  操作窓
１３  開口
１４  電池
１５  収納部
１６  蓋体
１７  ランプ
１８  ツマミ
２０  基板
２１  電池ホルダー
２２  端子
２３  コネクタ
２４  板バネ
２５  リブ
２６  案内溝
【図１】
0004139624.tif 000002
【図２】
0004139624.tif 000003
【図３】
0004139624.tif 000004
【図４】
0004139624.tif 000005
【図５】
0004139624.tif 000006
【図６】
0004139624.tif 000007
【図７】
0004139624.tif 000008